(57)【要約】      （修正有）【課題】左右の脚体が１本の梁パイプで連結した表示ボード移動架台として、結合部の変形なく梁パイプと両脚体との結合強度を大きくでき、極めて高強度で耐久性に優れ、組立製作が容易で外観体裁もよく、表示ボードの下方側を有効利用できるものを提供する。【解決手段】左右の脚体は、キャスターを備えたベース部上に角パイプの支柱１２が立設され、梁パイプ２より上位側に表示ボードを嵌装する。梁パイプ２の開口端２ａに固着した上下に長い内側当て板３と、上下に長い外側当て板４との間で支柱１２を挟み、外側から連結ボルト５を外側当て板４及び支柱１２のボルト挿通孔４ａ，１２ａ，１２ａに挿通して内側当て板３のねじ孔３ａに螺合緊締することにより、各支柱１２と梁パイプ２とが結合されてなる。【選択図】図２
0003196058.tif 000002
【実用新案登録請求の範囲】
【請求項１】
キャスターを備えた左右一対の脚体が中間高さ位置で１本の梁パイプを介して連結一体化され、該梁パイプより上位側の両脚体間に表示ボードを嵌装するようにした表示ボード移動架台であって、
前記脚体は、前後方向に沿うベース部上に角パイプからなる支柱が立設され、該ベース部の両端部に前記キャスターが取り付けられてなり、その支柱の梁パイプ止着位置にボルト挿通孔が左右方向に貫設され、
前記梁パイプの両側の開口端に、ねじ孔を有して上下に長い内側当て板が固着され、
その内側当て板とボルト挿通孔を有する上下に長い外側当て板との間に前記支柱を挟んだ状態で、外側から連結ボルトを該外側当て板及び支柱のボルト挿通孔に挿通して内側当て板のねじ孔に螺合緊締することにより、各支柱と梁パイプとが結合されてなる表示ボード移動架台。
【請求項２】
前記梁パイプが断面縦長の長方形で、前記内側当て板が該梁パイプ内に臨む上下２個のねじ孔を有すると共に、前記外側当て板及び支柱にも対応する上下２個のボルト挿通孔を備え、各支柱と梁パイプとが２本の連結ボルトで結合されてなる請求項１に記載の表示ボード移動架台。
【考案の詳細な説明】
【技術分野】
【０００１】
本考案は、黒板、ホワイトボード、スクリーンボード、電子黒板、掲示板等の表示ボードを装着して移動可能とする表示ボード移動架台に関する。
【背景技術】
【０００２】
一般的に、表示ボード移動架台は、図４に示すように、逆Ｔ字形の左右一対の脚体５０，５０が梁材パイプ６０を介して連結一体化されており、両脚体５０，５０の上部間で表示ボードＢの左右両側部を支持し、各脚体５０，５０のベース部の前後に設けたキャスター７０によって移動できるようになっている（非特許文献１）。なお、表示ボードＢの支持形態には、固定式、昇降式、表裏反転式等がある。
【０００３】
従来、このような表示ボード移動架台における脚体５０と梁材６０との結合には、図５（ａ）〜（ｃ）に示す結合方式が汎用されている。まず、図５（ａ）の結合方式では、梁パイプ６０の両端の開口部６０ａに、ねじ孔６１ａ付きの端板６１を溶接固着すると共に、脚体５０の角パイプからなる支柱５１の内側壁部５１ａにボルト挿通孔５２、同外側壁部５１ｂに径大孔５３を穿設しておき、その径大孔５３から短いボルト８１を挿入し、ボルト挿通孔５２より端板６１のねじ孔６１ａに螺合緊締することにより、該支柱５１と梁材６０を結合したのち、径大孔５３に合成樹脂製の目隠しキャップ９０を嵌着している。また、図５（ｂ）の結合方式では、支柱５１及び梁材６０の構成は前記同様であるが、頭部８２ａが径大で長いキャップボルト８２を用い、前記同様にして端板６１のねじ孔６１ａに螺合緊締することにより、該キャップボルト８２の頭部８２ａで支柱５１の径大孔５３を塞ぐ形になっている。更に、図５（ｃ）の結合方式では、梁材６０の構成は前記同様であるが、支柱５１の両側壁部５１ａ，５１ｂに同径のボルト挿通孔５２を穿設しておき、径大で偏平な頭部８３ａを有するボタンボルト８３を用い、両ボルト挿通孔５２を通して端板６１のねじ孔６１ａに螺合緊締することにより、その頭部８３ａを支柱５１の外側壁部５１ｂに押接すると共に、外側のボルト挿通孔５２を塞ぐようにしている。
【先行技術文献】
【非特許文献】
【０００４】
【非特許文献１】インターネット・ウエブ・拓と智恵のホワイトボード工場、片面移動脚付きホワイトボードの価格表、検索日：2014年11月6日、http//www.whiteboardkojo.com/price_mb.htm
【考案の概要】
【考案が解決しようとする課題】
【０００５】
しかるに、図５（ａ）（ｂ）で示す結合方式の場合、梁パイプ６０に対して支柱５１が内側壁部５１ａのみで結合していることで、その結合強度が非常に弱いため、図４に示すように両脚体５０，５０を上下２本の梁パイプ６０，６０で連結する必要があり、それだけ組立製作に手間を要すると共に材料コストも高く付き、また表示ボードＢの下方側が上下２本の梁パイプ６０，６０の存在によってデッドスペースになるという難点があった。一方、図５（ｃ）で示す結合方式の場合、ボタンボルト８３が支柱５１の全体を挟圧する形で梁パイプ６０に結合するから、ある程度は強い結合強度が得られ、両脚体５０，５０を１本の梁パイプ６０（図４の上側のものに相当）のみで連結することも可能になるが、ボタンボルト８３を強く締め過ぎた際に支柱５１の外側壁部５１ｂが凹んで変形すると共に、移動の開始・停止に伴って結合部に加わる負荷の反復によって同様の凹み変形や結合部のがたつきを生じる懸念があった。
【０００６】
本考案は、上述の事情に鑑みて、表示ボード移動架台として、左右一対の脚体が１本の梁パイプを介して連結一体化した構成であって、結合部の変形をきたすことなく該梁パイプと両脚体との結合強度を大きく設定でき、移動架台全体として極めて高強度で耐久性に優れ、加えて組立製作が容易で外観体裁もよく、また表示ボードの下方側の空間を有効利用できるものを提供することを目的としている。
【課題を解決するための手段】
【０００７】
上記目的を達成するための手段を図面の参照符号を付して示せば、請求項１の考案は、キャスター１３を備えた左右一対の脚体１，１が中間高さ位置で１本の梁パイプ２を介して連結一体化され、該梁パイプ２より上位側の両脚体１，１間に表示ボードＢを嵌装するようにした表示ボード移動架台であって、脚体１は、前後方向に沿うベース部１１上に角パイプからなる支柱１２が立設され、該ベース部１１の両端部にキャスター１３が取り付けられてなり、その支柱１２の梁パイプ２止着位置にボルト挿通孔１２ａ，１２ａが左右方向に貫設され、梁パイプ２の両側の開口端２ａに、ねじ孔３ａを有して上下に長い内側当て板３が固着され、その内側当て板３とボルト挿通孔４ａを有する上下に長い外側当て板４との間に支柱１２を挟んだ状態で、外側から連結ボルト５を該外側当て板４及び支柱１２のボルト挿通孔４ａ，１２ａ，１２ａに挿通して内側当て板３のねじ孔３ａに螺合緊締することにより、各支柱１２と梁パイプ２とが結合されてなる構成としている。
【０００８】
請求項２の考案は、上記請求項１の表示ボード移動架台において、梁パイプ２が断面縦長の長方形で、内側当て板３が該梁パイプ２内に臨む上下２個のねじ孔３ａ，３ａを有すると共に、外側当て板４及び支柱１２にも対応する上下２個のボルト挿通孔４ａ，４ａ，１２ａ，１２ａを備え、各支柱１２と梁パイプ２とが２本の連結ボルト５，５で結合されてなるものとしている。
【考案の効果】
【０００９】
次に、本考案の効果について、図面を参照して具体的に説明する。請求項１の考案に係る表示ボード移動架台では、キャスター１３を備えた左右一対の脚体１，１が中間高さ位置で１本の梁パイプ２を介して連結一体化された構成であるが、該梁パイプ２と各脚体１の支柱１２との結合部は、該梁パイプ２の開口端２ａに固着した上下に長い内側当て板３と、同様に上下に長い外側当て板４との間で支柱１２を挟み付け、外側から連結ボルト５を該外側当て板４及び支柱１２のボルト挿通孔４ａ，１２ａ，１２ａに挿通して内側当て板３のねじ孔３ａに螺合緊締する形であるから、連結ボルト５の締付け力が支柱１２のボルト挿通孔１２ａ，１２ａ近傍に集中することなく、両当て板３、４の広面積の当接面全体で支柱１２に負荷することになる。従って、その締付け力を強くしても該支柱１２の側壁部が凹む懸念がなく、もって移動架台全体を高強度に組立構築でき、また移動の開始・停止に伴って結合部に繰り返して負荷が加わってもがたつきや支柱１２の凹み変形を生じず、もって優れた耐久性が得られると共に、凹み変形による外観低下もなく、良好な見栄えを維持できる。なお、この移動架台では、左右の脚体１，１を連結する梁パイプ２が中間高さ位置に橋架した１本だけであるため、それだけ組立製作が容易にあると共に、該梁パイプ２の下方側をオフィス家具Ｆ等の設置スペースとして有効利用できる。
【００１０】
請求項２の考案によれば、梁パイプ２と各支柱１２とが上下２本の連結ボルト５，５で結合され、それだけ結合強度が増大すると共に、両連結ボルト５，５の螺合部が外部に露呈しないため、外観体裁が良好となる。
【図面の簡単な説明】
【００１１】
【図１】本考案の一実施形態に係る表示ボード移動架台の斜視図である。
【図２】同表示ボード移動架台における脚体の支柱と梁パイプとの結合部の展開斜視図である。
【図３】同結合部の縦断正面図である。
【図４】従来汎用の表示ボード移動架台の一例を示す斜視図である。
【図５】従来の表示ボード移動架台における脚体の支柱と梁パイプとの結合部を示し、（ａ）〜（ｃ）は異なる結合方式の縦断正面図である。
【考案を実施するための形態】
【００１２】
以下に、本考案に係る表示ボード移動架台の一実施形態について、図面を参照して具体的に説明する。
【００１３】
図１に示すように、この表示ボード移動架台は、キャスター１３を備えた左右一対の脚体１，１が中間高さ位置で１本の梁パイプ２を介して連結一体化され、該梁パイプ２より上位側の両脚体１，１間に横長矩形の表示ボードＢが嵌装されている。その各脚体１は、角パイプからなる前後方向に沿うベース部１１の中間部上に、横断面が前後に長い長方形の角パイプからなる支柱１２が下端の溶接によって立設され、該ベース部１１の両端部にキャスター１３が取り付けられている。
【００１４】
図２に示すように、各脚体１の支柱１２には、梁パイプ２との止着位置に対応して、上下二箇所にボルト挿通孔１２ａ，１２ａが左右方向に貫設されている。一方、梁パイプ２は、縦断面が縦長の長方形をなし、その両側の各開口端２ａには、該開口端２ａよりも前後に巾広で上下に長い内側当て板３が溶接によって固着されている。そして、該内側当て板３には、支柱１２のボルト挿通孔１２ａ，１２ａに対応して上下２個のねじ孔３ａ，３ａが、梁パイプ２内に臨んで設けられている。また、図中の符号４は上下に長い外側当て板であって、内側当て板３と同サイズに設定され、支柱１２のボルト挿通孔１２ａ，１２ａに対応して上下２個のボルト挿通孔４ａ，４ａが穿設されている。符号５は梁パイプ２の各端部と各支柱１２とを結合する２本の連結ボルトである。
【００１５】
図３に示すように、梁パイプ２の各端部と各支柱１２とは、梁パイプ２側の内側当て板３と外側当て板４との間に支柱１２を挟んだ状態で、外側から各連結ボルト５を該外側当て板４及び支柱１２のボルト挿通孔４ａ，１２ａ，１２ａに挿通して、内側当て板３のねじ孔３ａに螺合緊締することにより、両当て板３，４間で支柱１２を挟着する形でねじ止め結合されている。
【００１６】
上記構成の表示ボード移動架台では、キャスター１３を備えた左右一対の脚体１，１が中間高さ位置で１本の梁パイプ２を介して連結一体化されているが、該梁パイプ２と各脚体１の支柱１２との結合部は、該梁パイプ２側の上下に長い内側当て板３と同様に上下に長い外側当て板４との間で支柱１２を挟み付け、連結ボルト５の緊締によって該支柱１２を両側から挟着する形になっている。従って、連結ボルト５の締付け力は、支柱１２のボルト挿通孔１２ａ，１２ａ近傍に集中することなく、両当て板３、４の広面積の当接面全体で支柱１２に負荷することになり、その締付け力を強くしても該支柱１２の側壁部が凹む懸念がなく、もって移動架台全体を高強度に組立構築できる。また、表示ボード移動架台の移動の開始・停止に伴い、上記結合部に繰り返して負荷が加わることになるが、該結合部は両当て板３，４間で支柱１２を揺るぎなく強固に挟着した状態にあるため、がたつきや支柱１２の凹み変形を生じることがなく、優れた耐久性が得られると共に、凹み変形による外観低下もなく、長期にわたって良好な見栄えを維持できる。
【００１７】
そして、この移動架台では、左右の脚体１，１を連結する梁パイプ２が中間高さ位置の１本だけであるため、それだけ組立製作の工数が少なく作業も容易になると共に、該梁パイプ２の下方側を図１の仮想線で示す如くオフィス家具Ｆ等の設置スペースとして有効利用できるという利点もある。
【００１８】
本考案においては、梁パイプ２と各支柱１２とを一本の連結ボルト５で結合することも可能であるが、実施形態のように上下２本の連結ボルト５，５で結合することで結合強度がより増大するという利点がある。また、両連結ボルト５，５は、上下に長い両当て板３，４を利用して梁パイプ２の外側の上下位置で螺着することも可能であるが、実施形態の如く梁パイプ２として断面が縦長の長方形のものを用い、該梁パイプ２の内側に臨む位置で螺着する構成とすれば、その螺合部が外部に露呈しないため、外観体裁が良好となる。なお、内側当て板３のねじ孔３ａは、実施形態では板厚分に設定しているが、螺合深さを増すためにバーリング加工で立ち上げた孔内周にねじを刻設してもよい。
【００１９】
本考案に適用する表示ボードＢとしては、平板状のものであれば特に制約されず、黒板、ホワイトボード、スクリーンボード、電子黒板、掲示板等が挙げられ、照明具やプロジェクター等の付属機器を装着したものでもよい。また、移動架台における表示ボードＢの嵌装方式も、固定式、昇降式、表裏反転式等の種々の方式を採用できる。その他、本考案においては、脚体１のベース部１１の形態、キャスター１３の構造、連結ボルト５の形状等、細部構成については実施形態以外に種々設計変更可能である。
【符号の説明】
【００２０】
１      脚体
１１    ベース部
１２    支柱
１２ａ  ボルト挿通孔
１３    キャスター
２      梁パイプ
２ａ    開口端
３      内側当て板
３ａ    ねじ孔
４      外側当て板
４ａ    ボルト挿通孔
５      連結ボルト
Ｂ      表示ボード
【図１】
0003196058.tif 000003
【図２】
0003196058.tif 000004
【図３】
0003196058.tif 000005
【図４】
0003196058.tif 000006
【図５】
0003196058.tif 000007